(57)【要約】      （修正有）【課題】ＬＥＤを収納したＬＥＤ発光体をスムーズな曲率をもって湾曲させることが出来るとともに、急角度に折れ曲げられたりせず、湾曲を元に戻したときにあっても、ほとんど折れ癖が残らないライン状フレキシブルＬＥＤ照明発光体装置を提供する。【解決手段】チップ形ＬＥＤ１３と抵抗器１４、１４’の電気素子を実装した複数の絶縁性のモールドソケットを帯状の薄板金属製回路導体１１で整列接続した発光モジュール１０を示す口出し線１５に直流電源の＋極側が接続され、１番目のソケットの抵抗器１４を介して１番目のＬＥＤに接続される。次に中央の薄板金属製回路導体を介して２番目のＬＥＤに接続される。同様に薄板金属製回路導体とＬＥＤは順次接続され６番目のＬＥＤまで接続される。６番目のソケットではＬＥＤと抵抗器１４’とが接続され、帰線となる薄板金属製回路導体を通り、口出し線１６の−極側に戻る。【選択図】図２
0003120714.tif 000002
【実用新案登録請求の範囲】
【請求項１】
帯状の薄板金属製回路導体上に、ＬＥＤや抵抗器などの電気素子を実装するモールドソケットを複数設け、
前記薄板金属製回路導体とほぼ平行に弾性補助具を沿わせ、
前記薄板金属製回路導体と弾性補助具とを透光性の弾性チューブで一体的に被覆し、端部から口出し線を引出し、引出部には防水・張力留機能を持たせてあることを特徴とするＬＥＤ照明発光体装置。
【請求項２】
透光性のチューブが熱収縮チューブであることを特徴とする請求項１に記載するＬＥＤ照明発光体装置。
【請求項３】
前記弾性補助具が弾性を有する金属線であって、その両端部が薄板金属回路導体に係止されていることを特徴とする請求項１ないし請求項２に記載するＬＥＤ照明発光体装置。
【請求項４】
前記弾性補助具が弾性を有する金属板であることを特徴とする請求項１ないし請求項２に記載するＬＥＤ照明発光体装置。
【考案の詳細な説明】
【技術分野】
【０００１】  本考案は、フレキシブルライン照明や表示に使用する湾曲可能な透光性チューブ形の照明発光体装置に関するものである。光源にＬＥＤを用い線状発光が得られるようにした照明発光体装置である。
【背景技術】
【０００２】  ＬＥＤ光源を透光性チューブ内に配置する線状発光体については従来実用新案文献１で提案されている。実用新案文献１によれば、複数のＬＥＤがチューブ内に配置され給電用リード線で支持されていることが記載されている。【０００３】  このようなチューブ内でＬＥＤを支持するリード線はリード線に流れる電流が少ないので一般的には細い銅線で形成されている。この銅線の多くは軟銅線で塑性変形を受けやすく、一度変形すると元の形状に戻そうとしても容易に元に戻らず、凹凸ができて見苦しい。また再度曲げたとききれいな湾曲が得られないという問題がある。これを解決するためにはチューブの肉厚を厚くし変形しにくくする必要がある。その結果、大きな曲率でしか曲げることができず、使い勝手が悪くなるばかりか、長尺になったときの梱包・保管、輸送のスペースが大きくなり、取扱いが厄介である。【０００４】  また、特許文献１によれば、複数のＬＥＤを透光性を有する軟質合成樹脂で覆いフレキシブルな線状発光体を構成している。しかし、このチューブを湾曲させようとすると、給電線の太さが左右で異なるため、意図しないよじれが生じ、指向性を有することの多いＬＥＤの場合は、所望の所に光が行かず、光ムラが生ずる問題がある。
【実用新案文献１】
登録公報  第２５７９２８９号
【特許文献１】  特開平９−２９７５４９
【考案の開示】
【考案が解決しようとする課題】
【０００５】  軟銅線のような塑性変形する導体とＬＥＤソケットからなるチューブ形照明発光体装置にあっても、よじれや折曲げ部が生ぜずスムーズに湾曲することができ、取付時の不用意な折り曲げにあっても意図しない癖が付いたりしないライン状フレキシブルなＬＥＤ照明発光体装置を提供することである。【０００６】  ＬＥＤは小形で指向性のある光源である。その上発光体自体も軽くて小さく薄い。このためわずかな向きのズレでもＬＥＤの光の進路がバラバラになり、照射面に光ムラが生じ、均斉度の高い照明を得ることが困難である。またサインとしてＬＥＤを見た場合は、発光の中心が一直線上に来なくなり光によるディスプレー効果が失われる。このようなことのないライン状フレキシブルなＬＥＤ照明発光体装置を提供することを目的とする。
【課題を解決するための手段】
【０００７】  上記課題を解決するため、薄板金属製回路導体およびソケットにほぼ平行して弾性体を配置する。前記弾性体と前記薄板金属製導体が離れたり、ズレたりしないよう一体的に拘束してＬＥＤ照明発光体装置を構成する。その結果、薄板金属製回路導体を弾性体の弾力に抗して湾曲させても、ＬＥＤ照明発光体装置は急激な折曲げ部がなく、きれいな湾曲形状となる。【０００８】  前記ＬＥＤ照明発光体装置は前記ＬＥＤや前記薄板金属製回路導体を外力から保護するために両者を一体的に透光性チューブの中に入れ、端部から口出し線を引出し電源と接続する。このチューブに肉厚の薄いものを使用することにより、さらにきれいな湾曲形状が得られる。【０００９】  透光性弾性チューブの端部は端末カバーと接着を組合わせことにより容易に密閉構造にすることができ、屋外でも使用できる防水／防塵構造にすることが可能となる。
【考案の効果】
【００１０】  本考案のＬＥＤ照明発光体装置は薄板金属製回路導体のほか弾性体を一体的に取付けているので、滑らかに湾曲した、きれいな曲線を有する照明や表示・ディスプレーなどを得ることができる。【００１１】  本考案のＬＥＤ照明発光体装置は透光性弾性チューブで覆われ、端部が防水構造になっているので屋外でも使用することができ、用途が飛躍的に増す。【００１２】  本考案のＬＥＤ照明発光体装置の透光性弾性チューブに熱収縮チューブを使用することにより軽薄短小にすることが出来、設置後のＬＥＤ照明発光体装置が目立たなくなると共に、照明時には所望の光が得られ、照明環境の高い照明設計をすることができる。【００１３】  本考案のＬＥＤ照明発光体装置は建物の長さに合わせ４〜５ｍになっても、梱包、保管、輸送時によじれを生ぜず小さな径に巻くことが出来、場所をとらずにすむ。もちろん取付時に巻き戻しがあってもよじれなどなくきれいに復元することが可能となる。
【考案を実施するための最良の形態】
【００１４】  以下、本考案の実施の形態を、図面を参照しながら説明する。【００１５】  図１は本考案に基づくＬＥＤ照明発光体装置１の好適実施例を示す組立斜視図である。図２〜図６は図１のＬＥＤ照明発光体装置１を作るための部品の斜視図、図７は図６の透光性弾性チューブ３０および端末カバー４０を取付ける前のＬＥＤ照明発光体装置の部分組立斜視図を示す。【００１６】  図２はチップ形ＬＥＤ１３と抵抗器１４、１４’の電気素子を実装した複数の絶縁性のモールドソケットを帯状の薄板金属製回路導体１１で整列接続した発光モジュール１０を表している。【００１７】  図２では口出し線１５に直流電源の＋極側が接続され、１番目のソケットの抵抗器１４を介して１番目のＬＥＤに接続される。次に中央の薄板金属製回路導体を介して２番目のＬＥＤに接続される。同様に薄板金属製回路導体とＬＥＤは順次接続され６番目のＬＥＤまで接続される。６番目のソケットではＬＥＤと抵抗器１４’とが接続され、帰線となる薄板金属製回路導体を通り、口出し線１６の−極側に戻る。【００１８】  図８には２４Ｖ直流電源に白色ＬＥＤを直並列接続したときの回路図を示す。また５Ｖ直流電源に白色ＬＥＤを並列接続する薄板金属製回路導体も可能である。本考案の実施図面では６直列１並列で示しているが、６並列を繰り返すことによりもっと長いものを作ることができる。もちろんｍ直列×ｎ並列にすれば電源電圧に応じ長さを自由にすることができる。【００１９】  図３は発光モジュール１０の両側にほぼ平行に弾性補助具１７を沿わせた状態を示す。この弾性補助具としてはピアノ線や燐青銅線のようなバネ性を有する金属線が好適である。また弾性補助具として図４に示すステンレス製の板状弾性補助具１８を裏面に沿わせ用いても同様の効果を得ることができ、特にサイドビュー形ＬＥＤを装着したＬＥＤ照明発光体に使用するとＬＥＤ照明発光体装置を湾曲させても弾性補助具による光のけられやロスがなく効率のよい照明を行うことが出来る。【００２０】  図５は発光モジュール１０と弾性補助具とを一体にするための内部用熱収縮チューブ２１を示すものである。一体にしたＬＥＤ照明発光体では弾性補助具の端部１９、１９’および２０、２０’が同極となる薄板金属製回路導体に固定されている。その状態を図７に示す。【００２１】  図７のＬＥＤ照明発光体に外部用熱収縮チューブ３０を被せ、加熱する。さらに端末カバー４０をはめ込み、シーリング剤で密閉して防水処理をする。熱収縮チューブとしては塩化ビニル系、ポリエチレン系、シリコーン系、テフロン系などがあり、熱的、機械的特性に合わせ使いわけすればよい。【００２２】  加熱した外部用熱収縮チューブ３０は内部部品であるＬＥＤ照明発光体にそって収縮するので、その外形は図９に示すような形状に変形される。この結果、前記ＬＥＤ照明発光体および弾性補助具が一体となり、薄くて丈夫なＬＥＤ照明発光体装置が得られる。【００２３】  ＬＥＤ照明発光体装置の両端を縮めると、ＬＥＤ照明発光体装置は図１０に示すようにスムーズできれいに湾曲させることができる。【００２４】  別の実施形態としてはチップ形ＬＥＤのかわりに砲弾形ＬＥＤをソケットに装着すれば指向性のよいＬＥＤ照明発光体装置を形成することが出来る。【００２５】  別の実施形態としてＬＥＤ以外の光源を使用することも容易に考えられる。【００２６】  また、別の実施形態として、複数のＬＥＤの発光面側から被せる平板弾性補助具に、ＬＥＤのピッチと外形に合わせた穴をあけ、その穴からＬＥＤの発光部を含むＬＥＤの上面を覗かせ組付けても同様の効果を得ることができる。この場合ＬＥＤからの光が効率よく前面に反射される効果を生む。
【産業上の利用可能性】
【００２７】  本考案は建築のライン照明や輪郭照明、また遊技場のサイン・ディスプレイなどの表示・装飾用照明として使用する長尺の照明装置を容易に製作することができる。
【図面の簡単な説明】
【００２８】
【図１】本考案に基づくＬＥＤ照明発光体装置の好適実施例を示す組立斜視図。
【図２】図１のＬＥＤ照明発光体装置の内部に収納されるＬＥＤ発光モジュール１０の組立斜視図。
【図３】図２のＬＥＤ発光モジュールの両側面に線状弾性補助具を沿わせた状態の斜視図。
【図４】図２のＬＥＤ発光モジュールの下面に板状弾性補助具を沿わせた状態の斜視図。
【図５】ＬＥＤ発光モジュールと弾性補助具を一体にするための内部用熱収縮チューブの部品斜視図。
【図６】図７のＬＥＤ照明発光体に被せる外部用熱収縮チューブと端末カバーの部品斜視図。
【図７】ＬＥＤ発光モジュールと弾性補助具と内部用熱収縮チューブを一体にしたＬＥＤ照明発光体の斜視図。
【図８】本考案に使用した直並列接続のＬＥＤ回路図。
【図９】ＬＥＤ照明発光体に被せた外部用熱収縮チューブが収縮したときの外部用熱収縮チューブの外形斜視図。
【図１０】本考案による図１のＬＥＤ照明発光体装置を湾曲させた外形斜視図。
【符号の説明】
【００２９】  １  ＬＥＤ照明発光体装置
１０  発光モジュール
１１  薄板金属製回路導体
１２  ソケット
１３  ＬＥＤ
１４  抵抗器
１４’抵抗器
１５  ＋極側口出し線
１６  −極側口出し線
１７  線状弾性補助具
１８  板状弾性補助具
１９、１９’  弾性補助具の端部
２０、２０’  弾性補助具の端部
２１  内部用熱収縮チューブ
３０  外部用熱収縮チューブ
４０  端末カバー
【図１】
0003120714.tif 000003
【図２】
0003120714.tif 000004
【図３】
0003120714.tif 000005
【図４】
0003120714.tif 000006
【図５】
0003120714.tif 000007
【図６】
0003120714.tif 000008
【図７】
0003120714.tif 000009
【図８】
0003120714.tif 000010
【図９】
0003120714.tif 000011
【図１０】
0003120714.tif 000012